(57)【要約】【課題】マルチディスプレイ装置において複数のページを表示する場合にユーザにとって複数の表示装置に表示された複数の画像を読み進める順序がわかりやすい表示を行う。【解決手段】複数のページからなる文書の画像と、前記文書の各ページの書字方向の情報と、複数の表示装置から構成されるマルチディスプレイ装置における前記各表示装置の配置情報と、を取得する取得手段と、前記配置情報と前記書字方向とに基づき、前記マルチディスプレイ装置の各表示装置で表示する画像を決定する決定手段と、前記決定手段により決定された前記各表示装置で表示する画像を前記各表示装置へ出力する出力手段と、を備える画像出力装置。【選択図】図４
2015206903.tif 000002
【特許請求の範囲】
【請求項１】
複数のページからなる文書の画像と、前記文書の各ページの書字方向の情報と、複数の表示装置から構成されるマルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
前記決定手段により決定された前記各表示装置で表示する画像を前記各表示装置へ出力する出力手段と、
を備える画像出力装置。
【請求項２】
前記決定手段は、前記マルチディスプレイ装置の複数の表示装置で表示する前記文書の複数のページのうちに異なる書字方向のページが混在しないように、前記各表示装置で表示する画像を決定する請求項１に記載の画像出力装置。
【請求項３】
前記決定手段は、前記マルチディスプレイ装置の複数の表示装置で表示する候補の前記文書の複数のページを決定し、前記表示する候補のページのうちに異なる書字方向のページが混在する場合、少なくとも１つの表示装置で表示する画像を前記表示する候補のページから代替画像に変更する請求項２に記載の画像出力装置。
【請求項４】
前記代替画像を生成する生成手段を有し、
前記出力手段は、前記決定手段により代替画像を表示するよう決定された表示装置に前記生成手段により生成された代替画像を出力する請求項３に記載の画像出力装置。
【請求項５】
前記決定手段は、前記代替画像を表示する表示装置の他の表示装置で表示する前記文書のページの書字方向が右から左の方向である場合、前記他の表示装置のうち前記マルチディスプレイ装置において左側にある表示装置で表示するページが、前記マルチディスプレイ装置において右側にある表示装置で表示するページより後のページになるように、前記各表示装置で表示するページを決定する請求項３又は４に記載の画像出力装置。
【請求項６】
前記決定手段は、前記代替画像を表示する表示装置の他の表示装置で表示する前記文書のページの書字方向が左から右の方向である場合、前記他の表示装置のうち前記マルチディスプレイ装置において右側にある表示装置で表示するページが、前記マルチディスプレイ装置において左側にある表示装置で表示するページより後のページになるように、前記各表示装置で表示するページを決定する請求項３又は４に記載の画像出力装置。
【請求項７】
前記マルチディスプレイ装置で表示するページを進める又は送るためのページ操作の指示が入力された場合、前記取得手段は、ページ操作により変更後の、前記マルチディスプレイ装置の各表示装置で表示する候補の前記文書のページの書字方向の情報を取得し、前記決定手段は、当該書字方向と前記配置情報とに基づき、ページ操作後の、前記マルチディスプレイ装置の各表示装置で表示する画像を決定する請求項１〜６のいずれか１項に記載の画像出力装置。
【請求項８】
前記決定手段は、前記マルチディスプレイ装置の複数の表示装置で表示する候補の前記文書の複数のページを決定し、前記表示する候補のページのうちに異なる書字方向のページが混在しない場合、前記表示する候補の各ページを前記各表示装置で表示するよう決定する請求項１〜７のいずれか１項に記載の画像出力装置。
【請求項９】
前記決定手段は、前記各表示装置で表示するページの書字方向が右から左の方向である場合、前記マルチディスプレイ装置において左側にある表示装置で表示するページが、前
記マルチディスプレイ装置において右側にある表示装置で表示するページより後のページになるように、前記各表示装置で表示するページを決定する請求項８に記載の画像出力装置。
【請求項１０】
前記決定手段は、前記各表示装置で表示するページの書字方向が左から右の方向である場合、前記マルチディスプレイ装置において右側にある表示装置で表示するページが、前記マルチディスプレイ装置において左側にある表示装置で表示するページより後のページになるように、前記各表示装置で表示するページを決定する請求項８に記載の画像出力装置。
【請求項１１】
前記文書の各ページの書字方向を判定する判定手段を備え、
前記取得手段は、前記判定手段により判定された書字方向の情報を取得する請求項１〜１０のいずれか１項に記載の画像出力装置。
【請求項１２】
複数の表示装置から構成されるマルチディスプレイ装置であって、
前記複数の表示装置のうちマスタの表示装置は、請求項１〜１１のいずれか１項に記載の画像出力装置を備え、前記マスタの表示装置は、前記決定手段により決定された前記複数の表示装置のうちスレーブの表示装置で表示する画像を当該スレーブの表示装置へ出力するマルチディスプレイ装置。
【請求項１３】
複数の表示装置から構成されるマルチディスプレイ装置であって、各表示装置は、
複数のページからなる文書の画像と、前記文書の各ページの書字方向の情報と、前記マルチディスプレイ装置における前記各表示装置の配置情報と、を取得する取得手段と、
前記配置情報と前記書字方向とに基づき、自機で表示する画像を決定する決定手段と、を備えるマルチディスプレイ装置。
【請求項１４】
前記決定手段は、前記マルチディスプレイ装置の複数の表示装置により表示される前記文書の複数のページのうちに異なる書字方向のページが混在しないように、自機で表示する画像を決定する請求項１３に記載のマルチディスプレイ装置。
【請求項１５】
前記決定手段は、前記マルチディスプレイ装置の複数の表示装置に表示する候補の前記文書の複数のページを決定し、前記表示する候補のページのうちに異なる書字方向のページが混在する場合、前記書字方向と前記配置情報とに応じて、自機で表示する画像を前記表示する候補のページから代替画像に変更する請求項１４に記載のマルチディスプレイ装置。
【請求項１６】
前記代替画像を生成する生成手段を有し、
前記決定手段は、自機で表示する画像を前記表示する候補のページから代替画像に変更した場合、前記生成手段により生成された代替画像を自機で表示する画像として決定する請求項１５に記載のマルチディスプレイ装置。
【請求項１７】
前記決定手段は、前記代替画像を表示する表示装置の他の表示装置で表示する前記文書のページの書字方向が右から左の方向である場合、前記他の表示装置のうち前記マルチディスプレイ装置において左側にある表示装置で表示するページが、前記マルチディスプレイ装置において右側にある表示装置で表示するページより後のページになるように、前記書字方向と前記配置情報とに応じて、自機で表示するページを決定する請求項１５又は１６に記載のマルチディスプレイ装置。
【請求項１８】
前記決定手段は、前記代替画像を表示する表示装置の他の表示装置で表示する前記文書のページの書字方向が左から右の方向である場合、前記他の表示装置のうち前記マルチデ
ィスプレイ装置において右側にある表示装置で表示するページが、前記マルチディスプレイ装置において左側にある表示装置で表示するページより後のページになるように、前記書字方向と前記配置情報とに応じて、自機で表示するページを決定する請求項１５又は１６に記載のマルチディスプレイ装置。
【請求項１９】
前記マルチディスプレイ装置で表示するページを進める又は送るためのページ操作の指示が入力された場合、前記取得手段は、ページ操作により変更後の、前記マルチディスプレイ装置の各表示装置で表示する候補の前記文書のページの書字方向の情報を取得し、前記決定手段は、当該書字方向と前記配置情報とに基づき、ページ操作後の、前記マルチディスプレイ装置の各表示装置で表示する画像を決定する請求項１３〜１８のいずれか１項に記載のマルチディスプレイ装置。
【請求項２０】
前記決定手段は、前記マルチディスプレイ装置の複数の表示装置で表示する候補の前記文書の複数のページを決定し、前記表示する候補のページのうちに異なる書字方向のページが混在しない場合、前記表示する候補のページを自機で表示するよう決定する請求項１３〜１９のいずれか１項に記載のマルチディスプレイ装置。
【請求項２１】
前記決定手段は、前記各表示装置で表示するページの書字方向が右から左の方向である場合、前記マルチディスプレイ装置において左側にある表示装置で表示するページが、前記マルチディスプレイ装置において右側にある表示装置で表示するページより後のページになるように、自機で表示するページを決定する請求項２０に記載のマルチディスプレイ装置。
【請求項２２】
前記決定手段は、前記各表示装置で表示するページの書字方向が左から右の方向である場合、前記マルチディスプレイ装置において右側にある表示装置で表示するページが、前記マルチディスプレイ装置において左側にある表示装置で表示するページより後のページになるように、自機で表示するページを決定する請求項２０に記載のマルチディスプレイ装置。
【請求項２３】
複数の表示装置から構成されるマルチディスプレイ装置と、前記マルチディスプレイ装置に画像を出力する画像出力装置と、からなる表示システムであって、
複数のページからなる文書の画像と、前記文書の各ページの書字方向の情報と、前記マルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
を備え
前記画像出力装置は、前記決定手段により決定された前記各表示装置で表示する画像を前記各表示装置へ出力する出力手段を備え、
前記マルチディスプレイ装置の各表示装置は、前記画像出力装置から前記各表示装置で表示する画像を取得して表示する表示システム。
【請求項２４】
複数の表示装置から構成されるマルチディスプレイ装置と、前記マルチディスプレイ装置に画像を出力する画像出力装置と、からなる表示システムであって、
複数のページからなる文書の画像と、前記文書の各ページの書字方向の情報と、前記マルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
を備え
前記画像出力装置は、複数のページからなる文書の画像を前記各表示装置へ出力する出力手段を備え、
前記マルチディスプレイ装置の各表示装置は、前記画像出力装置から複数のページからなる文書の画像を取得し、複数のページのうち前記決定手段により自機で表示すると決定されたページの画像を表示する表示システム。
【請求項２５】
複数のページからなる文書の画像と、前記文書の各ページの書字方向の情報と、複数の表示装置から構成されるマルチディスプレイ装置における前記各表示装置の配置情報と、を取得する取得工程と、
前記配置情報と前記書字方向とに基づき、前記マルチディスプレイ装置の各表示装置で表示する画像を決定する決定工程と、
前記決定工程により決定された前記各表示装置で表示する画像を前記各表示装置へ出力する出力工程と、
を有する画像出力装置の制御方法。
【請求項２６】
複数の表示装置から構成されるマルチディスプレイ装置の制御方法であって、各表示装置が、
複数のページからなる文書の画像と、前記文書の各ページの書字方向の情報と、前記マルチディスプレイ装置における前記各表示装置の配置情報と、を取得する取得工程と、
前記配置情報と前記書字方向とに基づき、自機で表示する画像を決定する決定工程と、を有するマルチディスプレイ装置の制御方法。
【発明の詳細な説明】
【技術分野】
【０００１】
本発明は、マルチディスプレイ装置、画像出力装置、及び表示システムに関するものである。
【背景技術】
【０００２】
複数の表示装置を用いて画像を表示するシステム（以下、「マルチディスプレイ装置」という）がある（例えば特許文献１を参照）。このようなシステムにより、表示する画像を分割して複数の表示装置の各々へ画像データを出力して表示させたり、文書の複数のページの各々を各表示装置へ出力して見開き表示させたりすることができる。
【先行技術文献】
【特許文献】
【０００３】
【特許文献１】特開２００３−２８０６２４号公報
【発明の概要】
【発明が解決しようとする課題】
【０００４】
従来のマルチディスプレイ装置では文字を含む複数の異なる画像データを複数の表示装置に表示する場合に以下のような課題が生じていた。複数の表示装置で文字を含む異なる複数の画像データを同時に表示する場合に、ユーザが文字を読み進める方向と複数の表示装置の配置とを考慮した表示が行われていない。そのため、文字を読み進める方向が異なる複数の画像データが同時に複数の表示装置に表示されると、ユーザは、複数の表示装置に表示された複数の画像を読み進める順序がわかりにくいという課題があった。
【０００５】
本発明は、マルチディスプレイ装置において複数のページを表示する場合にユーザにとって複数の表示装置に表示された複数の画像を読み進める順序がわかりやすい表示を行うことを目的とする。
【課題を解決するための手段】
【０００６】
本発明は、複数のページからなる文書の画像と、前記文書の各ページの書字方向の情報と、複数の表示装置から構成されるマルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
前記決定手段により決定された前記各表示装置で表示する画像を前記各表示装置へ出力する出力手段と、
を備える画像出力装置である。
【０００７】
本発明は、複数の表示装置から構成されるマルチディスプレイ装置であって、各表示装置は、
複数のページからなる文書の画像と、前記文書の各ページの書字方向の情報と、前記マルチディスプレイ装置における前記各表示装置の配置情報と、を取得する取得手段と、
前記配置情報と前記書字方向とに基づき、自機で表示する画像を決定する決定手段と、を備えるマルチディスプレイ装置である。
【０００８】
本発明は、複数の表示装置から構成されるマルチディスプレイ装置と、前記マルチディスプレイ装置に画像を出力する画像出力装置と、からなる表示システムであって、
複数のページからなる文書の画像と、前記文書の各ページの書字方向の情報と、前記マ
ルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
を備え
前記画像出力装置は、前記決定手段により決定された前記各表示装置で表示する画像を前記各表示装置へ出力する出力手段を備え、
前記マルチディスプレイ装置の各表示装置は、前記画像出力装置から前記各表示装置で表示する画像を取得して表示する表示システムである。
【０００９】
本発明は、複数の表示装置から構成されるマルチディスプレイ装置と、前記マルチディスプレイ装置に画像を出力する画像出力装置と、からなる表示システムであって、
複数のページからなる文書の画像と、前記文書の各ページの書字方向の情報と、前記マルチディスプレイ装置における前記各表示装置の配置情報と、を取得する取得手段と、
前記配置情報と前記書字方向とに基づき、前記マルチディスプレイ装置の各表示装置で表示する画像を決定する決定手段と、
を備え
前記画像出力装置は、複数のページからなる文書の画像を前記各表示装置へ出力する出力手段を備え、
前記マルチディスプレイ装置の各表示装置は、前記画像出力装置から複数のページからなる文書の画像を取得し、複数のページのうち前記決定手段により自機で表示すると決定されたページの画像を表示する表示システムである。
【００１０】
本発明は、複数のページからなる文書の画像と、前記文書の各ページの書字方向の情報と、複数の表示装置から構成されるマルチディスプレイ装置における前記各表示装置の配置情報と、を取得する取得工程と、
前記配置情報と前記書字方向とに基づき、前記マルチディスプレイ装置の各表示装置で表示する画像を決定する決定工程と、
前記決定工程により決定された前記各表示装置で表示する画像を前記各表示装置へ出力する出力工程と、
を有する画像出力装置の制御方法である。
【００１１】
本発明は、複数の表示装置から構成されるマルチディスプレイ装置の制御方法であって、各表示装置が、
複数のページからなる文書の画像と、前記文書の各ページの書字方向の情報と、前記マルチディスプレイ装置における前記各表示装置の配置情報と、を取得する取得工程と、
前記配置情報と前記書字方向とに基づき、自機で表示する画像を決定する決定工程と、を有するマルチディスプレイ装置の制御方法である。
【発明の効果】
【００１２】
本発明によれば、マルチディスプレイ装置において複数のページを表示する場合にユーザにとって複数の表示装置に表示された複数の画像を読み進める順序がわかりやすい表示を行うことができる。
【図面の簡単な説明】
【００１３】
【図１】本発明における想定システムを示した図
【図２】書字方向と表示について説明する図
【図３】本発明の効果について説明する図
【図４】実施例１の構成を示すブロック図
【図５】実施例１の複写機の処理について説明するフローチャート
【図６】実施例１の表示装置の処理について説明するフローチャート
【図７】実施例２の構成を示すブロック図
【図８】実施例２の複写機の処理について説明するフローチャート
【図９】実施例２の表示装置の処理について説明するフローチャート
【図１０】実施例３の構成を示すブロック図
【図１１】実施例３の複写機の処理について説明するフローチャート
【図１２】実施例３の表示装置（左）の処理について説明するフローチャート
【図１３】実施例３の表示装置（右）の処理について説明するフローチャート
【図１４】書字方向の混在表示について説明する図
【図１５】実施例４の構成を示すブロック図
【図１６】実施例４のマルチディスプレイ装置の処理を説明するフローチャート
【図１７】実施例４の書字方向と各表示装置に表示する画像データの関係を示した表
【図１８】実施例４の書字方向と各表示装置に表示する画像データの関係を示した表
【図１９】実施例５のマルチディスプレイ装置の処理を説明するフローチャート
【発明を実施するための形態】
【００１４】
本発明の実施例について具体的に説明する。以下の実施例は本発明の範囲をそれに限定する趣旨のものではなく、本発明の範囲内で以下の実施例には種々の変更を加え得る。
図１はマルチディスプレイ装置の構成例を示す図である。図１のマルチディスプレイ装置は、表示装置（左）、表示装置（右）の複数の表示装置からなり、複写機で複数ページの紙のドキュメントをスキャンして生成された画像データに基づく複数の画像を、表示装置（左）及び表示装置（右）のそれぞれに表示する。
【００１５】
ここで、本明細書における「書字方向」の定義を説明する。一般的に書字方向としては、以下の４種類が存在する。
縦書きには、以下の２種類がある。
・列を右から左へ並べるもの
・列を左から右へ並べるもの
横書きには、以下の２種類がある。
・行で文字を右から左へ進めるもの
・行で文字を左から右へ進めるもの
上記のうち、以下の２つを書字方向「左」（あるいは「右から左」）とする。
・列を右から左へ並べるもの（縦書き）
・文字を右から左へ行を進めるもの（横書き）
また、以下の２つを書字方向「右」（あるいは「左から右」）とする。
・列を左から右へ並べるもの（縦書き）
・文字を左から右へ行を進めるもの（横書き）
【００１６】
図２を用いて、従来システムにおいて、見開き表示において書字方向と複数の表示装置に表示されるページの順序とが合うケースと合わないケースについて説明する。ここでは、書字方向を考慮せずに、常に表示装置（左側に設置）→表示装置（右側に設置）という順序でページを表示する従来システムを例に説明する。なお、本明細書では、左側、右側とは、ユーザ（観察者）からマルチディスプレイ装置に向かって左側、右側を意味するものとする。
【００１７】
図２（ａ）は、書字方向とページ順序が合うケースを示している。表示装置（左）には見開きの１ページ目が表示され、表示装置（右）には見開きの２ページ目が表示される。書字方向は左から右に向かう方向である。ページ表示順は左の表示装置から右の表示装置へ向かう方向であるため、書字方向とページが進む方向が合っている。よって、ユーザにとっては複数の表示装置に表示されたページを読み進める順序がわかりやすい表示である。例えば、日本語の「横書き」の文書を見開き表示するケースがこれに該当する。
【００１８】
図２（ｂ）は、書字方向とページ順序が合わないケースを示している。表示装置（左）には、見開きの１ページ目が表示され、表示装置（右）には２ページ目が表示される。書字方向は右から左に向かう方向である。ページ表示順は左の表示装置から右の表示装置へ向かう方向であるため、書字方向とページが進む方向が合っていない。よって、ユーザにとっては複数の表示装置に表示されたページを読み進める順序がわかりにくい表示となってしまう。例えば、日本語の「縦書き」の文書を見開き表示するケースがこれに該当する。
「横書き」であってもアラビア語等は、書字方向は右から左となるため、「横書き」、「縦書き」のみで判定することはできない。
【００１９】
書字方向が混在する画像データをマルチディスプレイ装置で表示する場合について、図１４を用いて説明する。
複写機は紙ドキュメント１〜５をスキャンし、画像データに変換する。この時、紙ドキュメント１〜５は画像データ１〜５に変換される。紙ドキュメントのスキャンに際して、複写機は紙ドキュメント１〜５を数字の小さなものから順番でスキャンするものとし、スキャンした順に画像データはファイル化される。なお、紙ドキュメント及び画像データ１、２，３は書字方向が右であり、紙ドキュメント及び画像データ４，５は書字方向が左であるとする。
【００２０】
マルチディスプレイ装置を用いて、複写機により生成された画像データを表示する場合、画像データはスキャンした順番に従って複数の表示装置に表示される。すなわち、まず、書字方向が右の画像データ１及び画像データ２がそれぞれ表示装置（左）と表示装置（右）に表示される（表示１）。
表示１の状態で、ユーザがページ送り操作を行った場合、書字方向が右である画像データ３と書字方向が左である画像データ４がそれぞれ表示装置（左）と表示装置（右）に表示される（表示２）。
表示２の場合、同時表示された画像データ３及び画像データ４の書字方向が異なるため、ユーザはどちらの表示装置に表示された画像データから読み進めて良いのかが判別しにくい。
【００２１】
本発明は、文書の各ページの書字方向の情報と、マルチディスプレイ装置における各表示装置の配置情報と、に基づき、マルチディスプレイ装置で表示する複数のページのうちに異なる書字方向のページが混在しないように、各表示装置で表示する画像を決定する。具体的には、マルチディスプレイ装置で表示する候補のページを決定し、表示候補ページのうちに異なる書字方向のページが混在する場合、少なくとも１つの表示装置で表示する画像を表示候補ページから代替画像に変更する。代替画像は、例えば黒画像等である。これにより、マルチディスプレイ装置の複数の表示装置で同時表示される複数のページにおいて異なる書字方向が混在することが回避されるので、ユーザは、どの表示装置に表示されたページから読み進めて良いかわかりやすい。また、書字方向と配置情報とに基づき、どのページをどの位置の表示装置に表示させるか決定するので、複数の表示装置においてページが進む方向と、書字方向とが一致する。図３（ａ）は、書字方向が左から右に進行していて、ページ表示順も表示装置（設置位置：左）から表示装置（設置位置：右）に進行しており、書字方向とページ表示順が合っている。図３（ｂ）、図３（ｃ）は、書字方向が右から左に進行していて、ページ表示順も表示装置（設置位置：右）から表示装置（設置位置：左）に進行しており、書字方向と表示が合っている。従って、ユーザにとって複数の表示装置に表示された画像を読み進める順序がわかりやすい表示が実現できる。
【００２２】
＜実施例１＞
（構成）
図４を用いて、実施例１の表示システムの構成について説明する。実施例１の表示システムは、複写機３０１とマルチディスプレイ装置３１１からなる。複写機３０１は、ユーザより入力される紙ドキュメント等をスキャンして読み込み画像データ化するデータ入力部３０４を有する。また、複写機３０１の書字方向判定部３０５は、ＯＣＲ（Optical Character Recognition）機能を備えており、スキャンして画像データ化したドキュメント
の画像に含まれる文字の書字方向の判定を行う。複写機３０１のデータ選択部３０６は、マルチディスプレイ装置３１１から複数の表示装置の設置位置に関する情報（例えば、左又は右、上又は下等）を取得し、書字方向と設置情報から各表示装置に出力すべき画像データを選択する。
【００２３】
マルチディスプレイ装置３１１は、表示装置３０２、表示装置３０３から構成される。マルチディスプレイ装置３１１は、複数ページからなるドキュメントの画像データに基づき、各表示装置に１ページの画像を表示することによりドキュメントを見開き表示することができる。表示装置３０２の設置情報設定部３０７及び表示装置３０３の設置情報設定部３０９は、各表示装置のマルチディスプレイ装置における設置情報を保持する。ユーザは、各表示装置の設置情報を各表示装置の設置情報設定部により設定する。設置情報設定部３０７及び３０９は、設置情報をデータ選択部３０６へ出力する。データ表示部３０８及びデータ表示部３１０は、液晶ディスプレイのような表示デバイスで構成され、データ選択部３０６から入力される画像データに基づく画像を表示する。
【００２４】
（複写機フロー）
図５を用いて、実施例１の複写機３０１の処理フローについて説明する。
Ｓ４０１において、データ入力部３０４は文書をスキャンして画像データを取得する。
Ｓ４０２において、書字方向判定部３０５は、スキャンにより取得した画像データの画像に含まれる文字の書字方向を判定する。書字方向判定部３０５は、上下方向の書字方向も左右方向の書字方向も判定できるものとする。ここでは、マルチディスプレイ装置３１１は図１等に示すように左右に２つの表示装置が並べられて構成されているものとする。従って、書字方向判定部３０５は、左右の書字方向を判定する。
【００２５】
書字方向が右である場合、Ｓ４０３において、データ選択部３０６は、マルチディスプレイ装置３１１を構成する表示装置の設置情報を判定する。ここでは、データ選択部３０６は、表示装置３０２が左、表示装置３０３が右に設置されているか、又は、表示装置３０２が右、表示装置３０３が左に設置されているかを判定する。
書字方向が左である場合、Ｓ４０４において、データ選択部３０６は、Ｓ４０３と同様の判定を行う。
【００２６】
書字方向が右で、表示装置３０２の設置位置が左である場合（Ｓ４０２：ＹＥＳ，Ｓ４０３：ＹＥＳ）、データ選択部３０６は、表示装置３０２に見開きの１ページ目を出力し（Ｓ４０５）、表示装置３０３に２ページ目を出力する（Ｓ４０６）。
書字方向が右で、表示装置３０２の設置位置が右である場合（Ｓ４０２：ＹＥＳ，Ｓ４０３：ＮＯ）、データ選択部３０６は、表示装置３０２に見開きの２ページ目を出力し（Ｓ４０７）、表示装置３０３に１ページ目を出力する（Ｓ４０８）。
書字方向が左で、表示装置３０２の設置位置が左である場合（Ｓ４０２：ＮＯ，Ｓ４０４：ＹＥＳ）、データ選択部３０６は、表示装置３０２に見開きの２ページ目を出力し（Ｓ４０７）、表示装置３０３に１ページ目を出力する（Ｓ４０８）。
書字方向が左で、表示装置３０２の設置位置が右である場合（Ｓ４０２：ＮＯ，Ｓ４０４：ＮＯ）、データ選択部３０６は、表示装置３０２に見開きの１ページ目を出力し（Ｓ４０５）、表示装置３０３に２ページ目を出力する（Ｓ４０６）。Ｓ４０２〜Ｓ４０８の処理はデータが複写機３０１に入力されるたびに行われる。
【００２７】
（表示装置フロー）
図６を用いて、実施例１の表示装置３０２及び表示装置３０３の処理フローについて説明する。
Ｓ５０１において、ユーザは設置情報設定部３０７に対し表示装置３０２の設置情報（左又は右、上又は下等）の設定を行い、設置情報設定部３０９に対し表示装置３０３の設置情報の設定を行う。ここで、マルチディスプレイ装置３１１が２つの表示装置から構成されている場合、一方の表示装置の設置情報が設定されれば他方の設置情報も決まるため、ユーザは設置情報設定部３０７及び３０９の両方に対し設置情報の設定をしなくともよい。
Ｓ５０２において、設置情報設定部３０７及び設置情報設定部３０９は、設置情報を複写機３０１に出力する。
Ｓ５０３において、データ表示部３０８及びデータ表示部３１０は、複写機３０１より入力された画像データに基づく画像を表示する。
【００２８】
以上、実施例１のシステムによれば、複写機は、複数の表示装置に表示させる文書の書字方向と、複数の表示装置に表示させた複数のページの進む方向と、が一致するように、マルチディスプレイ装置に文書を読み取って得た画像データを出力する。これにより、マルチディスプレイ装置において複数のページを表示する場合にユーザにとって複数の表示装置に表示された複数の画像を読み進める順序がわかりやすい表示を行うことができる。
【００２９】
＜実施例２＞
本発明の実施例２について、実施例１との差分を中心に説明する。実施例１では、複写機は、スキャンして読み取った複数ページの画像データから、マルチディスプレイ装置を構成する各表示装置で表示すべき画像データを選択し、各表示装置へ表示すべき画像データだけを出力した。実施例２では、複写機は、スキャンして読み取った複数ページの画像データの全てを、マルチディスプレイ装置を構成する各表示装置へ出力し、各表示装置が自機で表示すべき画像データを選択する。つまり、実施例２では、複写機は書字方向の判定のみを行い、各表示装置で表示すべき画像データの選択を行う。
【００３０】
（構成）
図７を用いて、実施例２の表示システムの構成について説明する。実施例２の表示システムは、複写機６０１とマルチディスプレイ装置６１３からなる。マルチディスプレイ装置６１３は表示装置６０２及び表示装置６０３からなる。表示装置６０２は、設置情報設定部６０７、データ選択部６０８、データ表示部６０９を有し、表示装置６０３は、設置情報設定部６１０、データ選択部６１１、データ表示部６１２を有する。
ユーザは、表示装置６０２の設置情報設定部６０７と表示装置６０３の設置情報設定部６１０の一方又は両方に設置情報を設定する。設置情報の設定に関しては実施例１と同様である。
【００３１】
複写機６０１は文書をスキャンして取得した複数ページの画像データのうち全てのページの画像データをそのまま各表示装置へ出力する。また、複写機６０１の書字方向判定部６０５は、スキャンして得られた画像データの画像に含まれる文字の書字方向を判定し、書字方向の情報を表示装置６０２のデータ選択部６０８及び表示装置６０３のデータ選択部６１１へ出力する。
【００３２】
データ選択部６０８は、設置情報設定部６０７から取得する設置情報と、書字方向判定部６０５から取得する書字方向と、に基づき、複写機６０１から入力される複数ページの画像データから表示装置６０２で表示するページの画像データを選択する。データ選択部６０８は、選択したページの画像データをデータ表示部６０９へ出力する。
データ選択部６１１は、設置情報設定部６１０から取得する設置情報と、書字方向判定
部６０５から取得する書字方向と、に基づき、複写機６０１から入力される複数ページの画像データから表示装置６０３で表示するページの画像データを選択する。データ選択部６１１は、選択したページの画像データをデータ表示部６１２へ出力する。
【００３３】
データ表示部６０９はデータ選択部６０８から入力される画像データに基づく画像を表示し、データ表示部６１２は、データ選択部６１１から入力される画像データに基づく画像を表示する。
表示装置６０２及び６０３は、書字方向情報と設置情報に基づき、複写機６０１から入力された複数ページの画像データのうち自機で表示すべきページのみを表示する。
【００３４】
（複写機フロー）
図８を用いて、実施例２の複写機の処理フローについて説明する。
Ｓ７０１において、データ入力部６０４は文書をスキャンして画像データを取得する。データ入力部６０４の機能は実施例１のデータ入力部３０４と同様である。
Ｓ７０２において、書字方向判定部６０５は、書字方向を判定する。
Ｓ７０３及びＳ７０４において、書字方向判定部６０５は、Ｓ７０２の判定結果を表示装置６０２及び表示装置６０３へ出力する。
Ｓ７０５において、複写機６０１は、Ｓ７０１で取得した全てのページの画像データを表示装置６０２及び表示装置６０３へ出力する。
【００３５】
（表示装置フロー）
図９を用いて、実施例２の表示装置６０２及び表示装置６０３の処理フローについて説明する。ここでは表示装置６０２を例に説明するが、表示装置６０３でも同様である。
Ｓ８０１の処理は実施例１のＳ５０１と同様である。
Ｓ８０２において、データ選択部６０８は、複写機６０１から入力された書字方向情報に基づき、書字方向が「右」であるか判定する。
【００３６】
書字方向が「右」である場合（Ｓ８０２：ＹＥＳ）、データ選択部６０８は、Ｓ８０３に進み、設置情報設定部６０７から入力された設置情報に基づき、表示装置６０２の設置位置が「左」であるか判定する。
表示装置６０２の設置位置が「左」である場合（Ｓ８０３：ＹＥＳ）、データ選択部６０８は、Ｓ８０５に進む。Ｓ８０５において、データ選択部６０８は、データ表示部６０９に、見開きの１ページ目の画像データを出力する。
表示装置６０２の設置位置が「右」である場合（Ｓ８０３：ＮＯ）、データ選択部６０８は、Ｓ８０６に進む。Ｓ８０６において、データ選択部６０８は、データ表示部６０９に、見開きの２ページ目の画像データを出力する。
【００３７】
書字方向が「左」である場合（Ｓ８０２：ＮＯ）、データ選択部６０８は、Ｓ８０４に進み、設置情報設定部６０７から入力された設置情報に基づき、表示装置６０２の設置位置が「左」であるか判定する。
表示装置６０２の設置位置が「左」である場合（Ｓ８０４：ＹＥＳ）、データ選択部６０８は、Ｓ８０６に進む。Ｓ８０６において、データ選択部６０８は、データ表示部６０９に、見開きの２ページ目の画像データを出力する。
表示装置６０２の設置位置が「右」である場合（Ｓ８０４：ＮＯ）、データ選択部６０８は、Ｓ８０５に進む。Ｓ８０５において、データ選択部６０８は、データ表示部６０９に見開きの１ページ目の画像データを出力する。
【００３８】
以上、実施例２のシステムによれば、マルチディスプレイ装置の各表示装置は、マルチディスプレイ装置で表示する文書の書字方向と、マルチディスプレイ装置で表示する複数のページの進む方向と、が一致するように、自機で表示する画像データを選択する。これ
により、マルチディスプレイ装置において複数のページを表示する場合にユーザにとって複数の表示装置に表示された複数の画像を読み進める順序がわかりやすい表示を行うことができる。
【００３９】
＜実施例３＞
本発明の実施例３について、実施例１、２との差異を中心に説明する。実施例２では、複写機は、スキャンして読み取った複数ページの画像データの全てを、マルチディスプレイ装置を構成する各表示装置へ出力し、各表示装置が自機で表示すべき画像データを選択した。実施例３では、複写機は、スキャンして読み取った複数ページの画像データの全てを、マルチディスプレイ装置を構成する１つの表示装置へ出力し、当該表示装置が自機及び他の表示装置で表示すべき画像データを選択し、他の表示装置へ出力する。つまり、実施例３では、複写機は書字方向の判定のみを行い、マルチディスプレイ装置を構成する表示装置の一つが各表示装置で表示すべき画像データの選択を行う。
【００４０】
（構成）
図１０を用いて、実施例３の表示システムの構成について説明する。実施例１０の表示システムは、複写機９０１とマルチディスプレイ装置９１２からなる。マルチディスプレイ装置９１２は表示装置９０２及び表示装置９０３からなる。実施例３では、表示装置９０２及び表示装置９０３のうち一つがマスタとして機能する。それ以外の表示装置はスレーブとして機能する。実施例３では表示装置９０２がマスタであるとする。マスタの表示装置９０２はデータ選択部９０８を有する。スレーブの表示装置９０３はデータ選択部を有しない。マスタの表示装置９０２のデータ選択部９０８は、複写機９０１から入力された複数ページの画像の画像データからスレーブの表示装置９０３が表示すべき画像データを選択して、スレーブの表示装置９０３に出力する。スレーブの表示装置９０３は、マスタの表示装置９０２から入力された画像データをデータ表示部９１１により表示する。
【００４１】
表示装置９０２のデータ選択部９０８は、書字方向情報と、表示装置９０２と表示装置９０３の設置情報に基づき、複写機９０１から入力される複数ページの画像の画像データから表示装置９０２と表示装置９０３に表示させる画像データを選択する。データ選択部９０８は、表示装置９０２に表示させるものとして選択した画像の画像データをデータ表示部９０９へ出力するとともに、表示装置９０３に表示させるものとして選択した画像の画像データを表示装置９０３へ出力する。表示装置９０３の設置情報設定部９１０は、表示装置９０２へ、設置情報を出力する。なお、マルチディスプレイ装置を構成する複数の表示装置のうちどれをマスタとするかは上記の例に限らない。マルチディスプレイ装置を構成する複数の表示装置のいずれもデータ選択部を有し、ユーザが指定した表示装置のデータ選択部が上述したマスタとしての機能を実行する構成でも良い。マルチディスプレイ装置を構成する複数の表示装置のいずれか一の表示装置にデータ選択部が備わる構成でも良い。
【００４２】
（複写機フロー）
図１１を用いて、実施例３の複写機の処理フローについて説明する。
Ｓ１００１の処理は実施例１のＳ４０１の処理と同様である。
Ｓ１００２において、複写機９０１の書字方向判定部９０５は、書字方向を判定する。
Ｓ１００３及びＳ１００４において、Ｓ１００２の判定結果を表示装置９０２に出力する。
Ｓ１００５において、複写機９０１は、Ｓ１００１で取得した全てのページの画像データを表示装置９０２へ出力する。
【００４３】
（表示装置９０２フロー）
図１２を用いて、実施例３の表示装置９０２の処理フローについて説明する。このフロ
ーは、マルチディスプレイ装置においてマスタとして機能する表示装置の処理フローである。
Ｓ１１０１において、ユーザは表示装置９０２の設置情報設定部９０７に対し表示装置９０２の設置情報を設定する。
Ｓ１１０２において、設置情報設定部９０７は、設置情報を表示装置９０３へ出力する。
Ｓ１１０３、Ｓ１１０４、Ｓ１１０５において、表示装置９０２のデータ選択部９０８は、書字方向情報と設置情報に基づき、複写機９０１から入力される複数ページの画像のうち、表示装置９０２で表示するページと表示装置９０３で表示するページとを選択する。
【００４４】
書字方向が「右」であり、表示装置９０２の設置位置が「左」である場合（Ｓ１１０３：ＹＥＳ、Ｓ１１０４：ＹＥＳ）、データ選択部９０８は、以下の処理を行う。Ｓ１１０６において、見開きの２ページ目の画像データを表示装置９０３へ出力し、Ｓ１１０７において、見開きの１ページ目の画像データを表示装置９０２のデータ表示部９０９で表示する。
書字方向が「右」であり、表示装置９０２の設置位置が「右」である場合（Ｓ１１０３：ＹＥＳ、Ｓ１１０４：ＮＯ）、データ選択部９０８は、以下の処理を行う。Ｓ１１０８において、見開きの１ページ目の画像データを表示装置９０３へ出力し、Ｓ１１０９において、見開きの２ページ目の画像データを表示装置９０２のデータ表示部９０９で表示する。
【００４５】
書字方向が「左」であり、表示装置９０２の設置位置が「左」である場合（Ｓ１１０３：ＮＯ、Ｓ１１０５：ＹＥＳ）、データ選択部９０８は、以下の処理を行う。Ｓ１１０８において、見開きの１ページ目の画像データを表示装置９０３へ出力し、Ｓ１１０９において、見開きの２ページ目の画像データを表示装置９０２のデータ表示部９０９で表示する。
書字方向が「左」であり、表示装置９０２の設置位置が「右」である場合（Ｓ１１０３：ＮＯ、Ｓ１１０５：ＮＯ）、データ選択部９０８は、以下の処理を行う。Ｓ１１０６において、見開きの２ページ目の画像データを表示装置９０３へ出力し、Ｓ１１０７において、見開きの１ページ目の画像データを表示装置９０２のデータ表示部９０９で表示する。
なお、ユーザによって、設置情報が再設定された場合は、Ｓ１１０１から処理を再開する。
【００４６】
（表示装置９０３フロー）
図１３を用いて、実施例３の表示装置９０３の処理フローについて説明する。このフローは、マルチディスプレイ装置においてスレーブの表示装置の処理フローである。
Ｓ１２０１において、ユーザは表示装置９０３の設置情報設定部９１０に対し表示装置９０３の設置情報を設定する。このとき、既に表示装置９０３の設置情報が設定されている場合は、設定する必要はない。例えば、マルチディスプレイ装置の構成が、一方の表示装置の設置情報を設定すれば他方の表示装置の設置情報が決まるような構成の場合である。このような場合は、当該一方の表示装置（例えば表示装置９０２）の設置情報が設定されれば、他方の表示装置（例えば表示装置９０３）の設置情報も既に設定されていることになる。
Ｓ１２０２において、表示装置９０３の設置情報設定部９１０は、設置情報を表示装置９０２へ出力する。
Ｓ１２０３において、表示装置９０２より入力されたページの画像データをデータ表示部９１１により表示する。
なお、ユーザによって、設置情報が再設定された場合は、Ｓ１２０１から処理を再開す
る。
【００４７】
以上、実施例３のシステムによれば、マルチディスプレイ装置を構成する複数の表示装置のうちマスタとして機能する表示装置は、書字方向と表示された複数のページの進む方向とが一致するように、自機及び他の表示装置で表示する画像データを選択する。これにより、マルチディスプレイ装置において複数のページを表示する場合にユーザにとって複数の表示装置に表示された複数の画像を読み進める順序がわかりやすい表示を行うことができる。
【００４８】
＜実施例４＞
図１５を用いて、実施例４の表示システムの構成を説明する。実施例４の表示システムは、複写機１００１とマルチディスプレイ装置１０００からなる。マルチディスプレイ装置１０００は表示装置１００２及び１００３で構成され、複写機１００１とネットワーク接続等の通信により相互接続されている。
【００４９】
複写機１００１はユーザより入力された紙ドキュメントをスキャンし、データ入力部１００４で画像データを生成する。また、複写機１００１は書字方向判定部１００５を持つ。書字方向判定部１００５はＯＣＲ機能により画像に含まれる文字の書字方向を判定する。
表示装置１００２、表示装置１００３は画像データに基づく画像を表示する。
【００５０】
設置情報設定部１００７は、ユーザにより設定される表示装置１００２のマルチディスプレイ装置における設置位置に関する情報（設置情報）を保持する。設置情報設定部１０１０は、ユーザにより設定される表示装置１００３のマルチディスプレイ装置における設置位置に関する情報（設置情報）を保持する。実施例４では、設置情報は、表示装置１００２は設置位置が左であり、表示装置１００３は設置位置が右であるという内容を持つ情報であるとする。設置情報設定部１００７及び設置情報設定部１０１０は、設置情報をデータ選択部１００８及び書字方向混在検出部１０１３へ出力する。
【００５１】
データ選択部１００８は、書字方向情報、設置情報、及び書字方向混在情報に基づき、複写機１００１から入力される複数ページの画像のうち表示装置１００２及び１００３のそれぞれに出力すべきページの画像の画像データを選択する。画像データを選択する際、データ選択部１００８は、まず表示装置１００２及び表示装置１００３に表示する候補のページの画像データ（表示候補画像データ）を選択する。データ選択部１００８は、表示候補画像データの画像に含まれる文字の書字方向情報と、書字方向混在情報とに基づき、データ表示部１００９及び表示装置１００３のデータ表示部１０１１のそれぞれに出力すべき画像データを決定する。表示候補画像データとして選択された複数のページに書字方向の混在を検出した場合、データ選択部１００８は、画像データ作成部１０１４が作成する画像データを、データ表示部１００９又はデータ表示部１０１１へ出力する画像データとして選択する。
【００５２】
データ表示部１００９及びデータ表示部１０１１は液晶ディスプレイのような表示デバイスで構成され、データ選択部１００８で選択された画像データを表示デバイス上に表示する。
ユーザ操作部１０１２は、ユーザによるページ操作や各種の操作情報を検出し、スクロール方向情報及びページ数情報を生成し、データ選択部１００８に通知する。
【００５３】
書字方向混在検出部１０１３は、表示候補画像データとして選択された複数ページの書字方向がページによって異なっているか否かを判定し、判定結果を書字方向混在情報として出力する。書字方向混在情報の生成は、ユーザ操作部１０１２によってページ送りの操
作が行われたことが検出され、データ選択部１００８が表示候補画像データを選択する際に行われる。
【００５４】
画像データ作成部１０１４は、マルチディスプレイ装置１０００の複数の表示装置に表示される複数ページの画像において、書字方向が混在しないようにするためにデータ表示部１００９又は１０１１に出力する画像データを作成する。画像データ作成部１０１４は、例えば、データ表示部１００９又は１０１１に全面黒表示させる黒画像データや、ＯＳＤ（On-screen display）により表示するグラフィックスの画像データを作成する。
【００５５】
図１６のフローチャートを用いて、実施例４のマルチディスプレイ装置１０００の処理フローについて説明する。実施例４では、異なる書字方向の画像データがマルチディスプレイ装置を構成する複数の表示装置に並べて表示（見開き表示）されないようにすることを特徴とする。
【００５６】
（複写機１００１のフロー）
Ｓ１３０１において、複写機１００１のデータ入力部１００４は、複数ページの紙ドキュメントをスキャンし、複数ページからなる文書の画像の画像データを作成する。この処理は、図１４における紙ドキュメント１〜５から画像データ１〜５を作成する処理である。
Ｓ１３０２において、書字方向判定部１００５は、Ｓ１３０１で作成された各ページの画像について、ＯＣＲ機能によって書字方向を判定する。
【００５７】
Ｓ１３０３において、書字方向判定部１００５は、Ｓ１３０２で検出した各ページの書字方向の情報を、ネットワーク接続等の通信を用いて、マルチディスプレイ装置１０００の表示装置１００２のデータ選択部１００８に送信する。なお、この書字方向情報の送信処理は、後述するＳ１３０７で、表示装置１００２による指示に応じて実行される。
Ｓ１３０４において、データ出力部１００６は、Ｓ１３０１で作成された全てのページの画像データを、ネットワーク接続等の通信を用いて、マルチディスプレイ装置１０００の表示装置１００２のデータ選択部１００８に送信する。なお、この画像データの送信処理は、後述するＳ１３１１で、表示装置１００２による指示に応じて実行される。
【００５８】
（表示装置１００２のフロー）
Ｓ１３０５において、表示装置１００２の設置情報設定部１００７は、ユーザにより設定される表示装置１００２の設置情報を取得する。また、表示装置１００２の設置情報設定部１００７は、ユーザによって設置情報設定部１０１０に設定された表示装置１００３の設置情報をネットワーク接続等の通信を用いて表示装置１００３から取得する。実施例４では、設置情報設定部１００７は、マルチディスプレイ装置１０００を構成する表示装置１００２及び表示装置１００３の設置情報を取得し、集約する。
【００５９】
Ｓ１３０６において、データ選択部１００８は、表示候補画像データの選択に用いる変数ｎに１を設定する。実施例４では、データ選択部１００８は変数ｎの値に基づき、表示装置１００２及び表示装置１００３に表示する候補のページの画像データ（表示候補画像データ）を選択する。データ選択部１００８は、変数ｎの値に基づき、前記文書のページｎ及びページｎ＋１の画像データを、表示候補画像データとして選択する。従って、Ｓ１３０６では、表示候補画像データの初期値として前記文書の１ページ目と２ページ目の画像データが選択される。
【００６０】
Ｓ１３０７において、データ選択部１００８は、表示候補画像データとして選択された各ページについて複写機１００１が検出した書字方向の情報を送信するように書字方向判定部１００５に指示する。データ選択部１００８は、書字方向判定部１００５から送信さ
れた書字方向情報を、ネットワーク接続等の通信を用いて取得する。
【００６１】
Ｓ１３０８において、書字方向混在検出部１０１３は、Ｓ１３０７で取得した書字方向の情報に基づき、表示候補画像データとして選択された複数ページにおいて書字方向が混在しているか判定する。書字方向の混在がある場合はＳ１３０９へ進み、混在がない場合はＳ１３１０へ進む。
【００６２】
Ｓ１３０９において、データ選択部１００８は、Ｓ１３０７で取得した書字方向を図１７（Ａ）に示すテーブル１−１に照らし合わせて、表示装置１００２及び表示装置１００３で表示すべきページの画像データを決定する。図１７（Ａ）のテーブル１−１は、表示候補画像データとして選択された複数ページにおいて書字方向が混在している場合に、マルチディスプレイ装置の各表示装置に表示すべきページ及び画像を決定するための対応関係を示す。例えば、表示候補画像データとして選択された複数ページのページ１の書字方向が左でありページ２の書字方向が右であるとする。この場合、データ選択部１００８は、図１７（Ａ）のテーブル１−１に基づいて、設置位置が左である表示装置１００２は黒画像データを表示し、設置位置が右である表示装置１００３はページ１の画像データを表示するよう決定する。
【００６３】
Ｓ１３１０において、データ選択部１００８は、Ｓ１３０７で取得した書字方向を図１８（Ａ）に示すテーブル２−１に照らし合わせて、表示装置１００２及び表示装置１００３で表示すべきページの画像データを決定する。図１８（Ａ）のテーブル２−１は、表示候補画像データとして選択された複数ページにおいて書字方向が混在していない場合に、マルチディスプレイ装置の各表示装置に表示すべきページ及び画像を決定するための対応関係を示す。例えば、表示候補画像データとして選択された複数ページのページ１、２の書字方向がどちらも右であるとする。この場合、データ選択部１００８は、図１８（Ａ）のテーブル２−１に基づいて、設置位置が左である表示装置１００２にページ１の画像データを表示し、設置位置が右である表示装置１００３にページ２の画像データを表示するよう決定する。
【００６４】
Ｓ１３１１において、データ選択部１００８は、Ｓ１３０９又はＳ１３１０で決定した表示装置１００２及び表示装置１００３に表示すべきページの画像データを送信するよう、複写機１００１のデータ出力部１００６に要求する。データ選択部１００８は、データ出力部１００６から送信された画像データをネットワーク接続等の通信によって取得する。また、Ｓ１３０９において、いずれのかの表示装置に黒画像データを表示するとされた場合、データ選択部１００８は、画像データ作成部１０１４で作成された黒画像データを取得する。
【００６５】
Ｓ１３１２において、データ選択部１００８は、Ｓ１３１１でデータ出力部１００６から取得した画像データのうち、表示装置１００３に表示すべきページの画像データを、ネットワーク接続等の通信によって、表示装置１００３のデータ表示部１０１１へ送信する。
Ｓ１３１３において、データ選択部１００８は、Ｓ１３１１でデータ出力部１００６から取得した画像データのうち、表示装置１００２で表示すべきページの画像データを、データ表示部１００９に送る。データ表示部１００９は、データ選択部１００８から送られてくる画像データに基づく画像を表示する。
【００６６】
Ｓ１３１４において、ユーザ操作部１０１２は、ユーザによる操作を受け付ける（ユーザ操作を待機する）。
Ｓ１３１５において、ユーザ操作部１０１２は、Ｓ１３１４で受け付けたユーザ操作が、ページ操作であるか、終了操作であるかを判定し、終了操作である場合、本フローの処
理は終了する。ユーザ操作がページ操作である場合、処理はＳ１３１６へ進む。ページ操作は、表示している文書のページを１ページ又は複数ページ送る（進める）操作か、１ページ又は複数ページ戻す操作である。
【００６７】
Ｓ１３１６において、ユーザ操作部１０１２は、ユーザ操作部１０１２において受け付けたユーザのページ操作が、ページ送り又はページ戻しのいずれであるか判定する。また、ユーザ操作部１０１２は、ページ操作によって制御するページ数を判定する。データ選択部１００８は、ユーザ操作部１０１２からページ操作及び制御するページ数の情報を受け取り、ｎの値を変更し、Ｓ１３０７に進む。例えば、１ページ進める操作であった場合、データ選択部１００８は、Ｓ１３１６においてｎの値を１増加させ、Ｓ１３０７に進む。
【００６８】
変数の値をｎとした場合、ここでは、マルチディスプレイ装置にページｎ、ページｎ＋１が表示されている状況と、ページｎと黒画像が表示されている状況とが考えられる。
ページｎ、ページｎ＋１が表示されている状況では、ページｎ、ページｎ＋１の書字方向は同じである。この状況で、例えば１ページ進めるページ操作が行われた場合、Ｓ１３０７では、ページｎ＋１、ページｎ＋２について書字方向が取得され、Ｓ１３０８において書字方向の一致、不一致（混在）が判定される。ページｎ＋１、ページｎ＋２の書字方向が同じ場合、Ｓ１３１０において、書字方向と設置情報に基づき、マルチディスプレイ装置にはページｎ＋１、ページｎ＋２が表示される。ページｎ＋１、ページｎ＋２の書字方向が異なる場合、Ｓ１３０９において、書字方向と設置情報に基づき、マルチディスプレイ装置にはページｎ＋１と黒画像が表示される。ページｎと黒画像が表示されている状況で、ページ操作が行われた場合もマルチディスプレイ装置に表示される画像が決定される。
【００６９】
このように、ページ操作時に、ページ操作に伴い変更される変数ｎに応じたページの書字方向と設置情報に応じて決定される、各表示装置に表示される画像をまとめたものが図１７（Ｂ）のテーブル１−２と図１８（Ｂ）のテーブル２−２である。
【００７０】
図１７（Ｂ）のテーブル１−２は、マルチディスプレイ装置にページｎとページｎ＋１又は黒画像が表示されている状態で、Ｓ１３１４でページ送り又はページ戻しの操作が行われた場合の、各表示装置に表示されるページ又は画像を示す。図１７（Ｂ）のテーブル１−２は、ページ操作後に書字方向の混在がある場合の、データ選択部１００８により選択されるページ又は画像を示す。
【００７１】
例えば、表示中のページｎ、ページｎ＋１の書字方向が左で、１ページ進めるページ操作が行われ、ページｎ＋２の書字方向が右である場合、設置位置が左の表示装置１００２には黒画像を表示させ、設置位置が右の表示装置１００３にはページｎ＋１を表示させる。これにより、設置位置が左の表示装置１００２に書字方向が右のページｎ＋２が表示され、設置位置が右の表示装置１００３に書字方向が左のページｎ＋１が表示されるという混在表示が回避される。従って、ページ送りをした場合に更新される表示において、ユーザにとってどちらの表示装置に表示されたページから読み進めて良いかわかりにくい、という状況を回避できる。
【００７２】
図１８（Ｂ）のテーブル２−２は、マルチディスプレイ装置にページｎとページｎ＋１又は黒画像が表示されている状態で、Ｓ１３１４でページ送り又はページ戻しの操作が行われた場合の、各表示装置に表示されるページ又は画像を示す。図１８（Ｂ）のテーブル２−２は、ページ操作後に書字方向の混在がない場合の、データ選択部１００８により選択されるページ又は画像を示す。
【００７３】
（表示装置１００３のフロー）
Ｓ１３１７において、表示装置１００３の設置情報設定部１０１０は、ユーザにより設定される表示装置１００３の設置情報を取得し、設置情報を表示装置１００２の設置情報設定部１００７へネットワーク接続等の通信を用いて送信する。
Ｓ１３１８において、データ表示部１０１１は、表示装置１００２のデータ選択部１００８から、表示装置１００３で表示すべきページの画像データをネットワーク接続等の通信を用いて受信する。
Ｓ１３１９において、データ表示部１０１１は、Ｓ１３１８でデータ表示部１０１１が受信した画像データに基づく画像を表示する。
【００７４】
以上、実施例４のシステムによれば、書字方向が混在している複数ページのドキュメントをマルチディスプレイ装置で表示する場合に、ユーザにとって複数の表示装置に表示された複数の画像を読み進める順序がわかりやすい表示を行うことができる。実施例４では、マルチディスプレイ装置を構成する一の表示装置１００２に備わるデータ選択部１００８が、書字方向の混在の有無を判定し、ユーザにとって読み進めやすい表示ができるように、各表示装置で表示すべきページを決定する例を説明した。すなわち、表示装置１００２が実施例３のマスタのような機能を有している例である。しかし、本発明の実施の形態はこれに限られない。実施例１のように、書字方向の混在の判定及び各表示装置で表示する画像データの選択を複写機において行っても良いし、実施例２のように、マルチディスプレイ装置を構成する各表示装置において行っても良い。
【００７５】
＜実施例５＞
本発明の実施例５について図１９のフローチャートを用いて説明する。実施例５では、マルチディスプレイ装置を構成する複数の表示装置に見開き表示（同時表示）する複数ページにおいて書字方向が混在していることを検出した場合に、書字方向の混在表示を許容するかユーザに確認を行う例である。なお、実施例５において、実施例４と同一の機能ブロックや処理には同一の番号を付与し、詳細な説明を省略する。
【００７６】
（複写機１００１のフロー）
Ｓ１４０１において、書字方向判定部１００５は、Ｓ１３０３と同様に、Ｓ１３０２で検出した各ページの書字方向のうち、表示装置１００２から要求されたページの書字方向の情報を、ネットワーク接続等の通信を用いてデータ選択部１００８に送信する。
【００７７】
（表示装置１００２のフロー）
Ｓ１４０２において、データ選択部１００８は、Ｓ１３０７と同様に、表示候補画像データとして選択されたページについて複写機１００１が検出した書字方向の情報を、ネットワーク接続等の通信を用いて書字方向判定部１００５から取得する。Ｓ１４０２では、表示候補画像データとして選択されたページは、Ｓ１３１６で変更後の変数ｎに基づき決定されたページである。例えば、Ｓ１３１６の処理前に変数の値がｎで、１ページ進めるページ操作により変数の値がｎ＋１になった場合、Ｓ１４０２では、データ選択部１００８は、ページｎ＋１、ｎ＋２について書字方向情報を取得する。
【００７８】
Ｓ１４０３において、データ選択部１００８は、Ｓ１３０８と同様に、Ｓ１４０２で取得した書字方向の情報に基づき、表示候補画像データとして選択された複数のページに書字方向の混在があるか判定する。書字方向の混在がある場合はＳ１４０４へ進む。書字方向の混在がない場合、Ｓ１３１１に進み、データ選択部１００８は、表示すべき変更後の変数ｎに基づき決定されたページの画像データを複写機に要求する。
【００７９】
Ｓ１４０４において、データ選択部１００８は、画像データ作成部１０１４に指示を出し、書字方向の混在表示を許容するか否かをユーザに確認する画面を生成させ、生成した
画像データをデータ表示部１００９に表示させる。ユーザは、ユーザ操作部１０１２により、書字方向の混在表示を許容するか否かの指示を入力する操作を行う。書字方向の混在表示を許容する指示を入力する操作が行われた場合（Ｓ１４０４：Ｙｅｓ）、データ選択部１００８は、書字方向が混在している表示候補画像データをそのまま表示する画像データとして決定する。この場合、Ｓ１３１１の処理へと進み、データ選択部１００８は、表示候補画像データとして選択された書字方向が混在している複数のページの画像データを複写機に要求する。書字方向の混在表示を許容しない指示を入力する操作が行われた場合（Ｓ１４０４：Ｎｏ）、Ｓ１４０５の処理へ進む。
【００８０】
Ｓ１４０５において、ユーザ操作部１０１２は、Ｓ１３１４で受け付けたページ操作をキャンセルし、ページ操作が行われないようにする。この場合、Ｓ１３１２に進み、ユーザ操作を受け付けたとき（ユーザによるページ操作前）の表示のままマルチディスプレイ装置に表示される画像に変化はない。
【００８１】
以上、実施例５のシステムによれば、ユーザがページ操作を行った場合に、ユーザに書字方向が混在する表示を許容するか否かについて問い合わせが行われ、ユーザが許容するとした場合には書字方向が混在する状態で表示が行われる。この場合、ユーザは書字方向が混在することを予め意識してページ操作後の表示を見ることができるため、そうでない場合よりも、どの表示装置に表示されたページから読み進めて良いか判断しやすい。
【００８２】
＜変形例＞
実施例５において、ユーザが書字方向の混在表示を許容しない指示を入力した場合にページ操作をキャンセルする例を説明したが、書字方向が混在しないようにテーブル１，２に基づき表示を制御する通常制御を行うようにしても良い。その場合、Ｓ１４０４からＳ１４０５に進む代わりに、Ｓ１３０９に進む。これにより、ページ操作後に表示候補画像データとして選択された複数のページに異なる書字方向が混在している場合には、マルチディスプレイ装置に異なる書字方向が混在表示されないように黒画像の表示等の処理が実行される。
【００８３】
実施例４，５では、表示候補画像データとして選択された複数ページに書字方向の混在がある場合に、一方の表示装置に黒画像を表示させる例を説明したが、ページを表示しない表示装置に表示させる画像は黒画像に限らない。書字方向が混在する表示を回避した旨や、ドキュメントの最終ページではない旨を示す文字列、記号、テクスチャ、グラフィックを表示しても良いし、本来表示するページの縮小画像（サムネイル画像）を表示しても良い。また、本来表示するページの代わりに黒画像その他の画像を表示する例を説明したが、書字方向が混在する状態で複数ページを表示するとともに、ユーザに読み進める順番をガイドする表示を重畳表示させるようにしても良い。例えば、読み進める順番で最初のページに「１」、次のページに「２」という表示を重畳させることで、ユーザは、書字方向が混在する場合でもどちらの表示装置に表示されたページから読み進めて良いか容易に判定できる。
【００８４】
上記各実施例では、マルチディスプレイ装置が２つの表示装置で構成される例について述べたが、本発明はこれに限られない。２つ以上の表示装置で構成されるマルチディスプレイ装置にも本発明は適用することができる。
また、ユーザが設置情報を間違って設定した場合に、設定し直す場合が考えられる。そのような場合は、上記のフローをはじめから再実行するようにしても良い。
上記各実施例において、表示装置のデータ表示部の構成は液晶ディスプレイに限らず、画像データに基づく画像を表示する表示デバイスであれば良い。例えば有機ＥＬ（Electro-Luminescence）パネル、ＭＥＭＳ（Micro Electro Mechanical Systems）シャッター方式のパネルでも良い。あるいは、ＣＲＴ（Cathode Ray Tube）、レーザプロジェクタ、液
晶プロジェクタ、その他の映写装置等でも良い。
【００８５】
また、上記各実施例では、複写機により紙の文書をスキャンして読み取ることにより複数ページの画像からなる画像データを生成し、当該画像データを複写機がマルチディスプレイ装置に出力して表示させる例を示した。しかし、マルチディスプレイ装置に画像データを出力する画像出力装置は複写機に限らない。
【００８６】
実施例１の複写機は、次のような構成の画像出力装置でも良い。複数ページの画像からなる画像データに対し各ページの画像に含まれる文字の書字方向を判定し、マルチディスプレイ装置を構成する複数の表示装置の設置情報を取得し、設置情報と書字方向に基づき各表示装置へ画像を出力する画像出力装置であればよい。そのような画像出力装置としては、例えばＰＣやメディアプレーヤやゲーム機等を例示できる。つまり、書字方向の判定はスキャン時に判定するものでも良いし、既に生成された画像データに対しＯＣＲを行うことで判定するものでも良い。
【００８７】
実施例２、３、４、５の複写機は、次のような構成の画像出力装置でも良い。複数ページの画像からなる画像データに対し各ページの画像に含まれる文字の書字方向を判定し、書字方向の情報と複数ページの画像からなる画像データとを、マルチディスプレイ装置を構成する複数の表示装置の各々に出力する画像出力装置であればよい。
【００８８】
上記の実施例において、複写機がマルチディスプレイ装置を構成する複数の表示装置の各々から各表示装置の配置情報を取得する例を示したが、いずれか１つの表示装置から全ての表示装置の配置情報を取得するようにしても良い。この場合、マルチディスプレイ装置を構成する表示装置間で有線又は無線等による通信により配置情報の送受信を行える構成とし、いずれか１つの表示装置が他の表示装置から配置情報を取得し集約する。あるいは、ユーザが複写機に配置情報を入力することにより、複写機が配置情報を取得する構成でも良い。
【００８９】
実施例１は、複写機が書字方向判定部とデータ選択部を有し、実施例２は、複写機が書字方向判定部を有し、各表示装置がデータ選択部を有し、実施例３は、複写機が書字方向判定部を有し、１つのマスタ表示装置がデータ選択部を有する構成であった。しかし本発明の構成はこれに限らず、例えば、表示装置が書字方向判定部を有する構成でも良い。その場合、表示装置は、画像出力装置から複数ページの文書の画像を取得し、表示装置に備わる書字方向判定部により、当該文書の画像の各ページの書字方向を判定する。マルチディスプレイ装置を構成する各表示装置が書字方向判定部を有する構成でも良いし、１つのマスタ表示装置が書字方向判定部を有し、他の表示装置へ書字方向情報を出力する構成でも良い。
【００９０】
実施例４，５においても同様に、書字方向判定部を各表示装置あるいは１つのマスタ表示装置が有する構成でも良い。また、実施例４，５では、書字方向混在検出部、画像データ作成部、データ選択部、ユーザ操作部が１つのマスタ表示装置に備わる構成を示したが、各表示装置がこれらの機能部を有する構成でも良い。
【００９１】
実施例４，５において、マルチディスプレイ装置が３つ以上の表示装置により構成されていても良い。その場合、表示候補画像データとして選択された複数のページに異なる書字方向が混在しているときは、次のようにすると良い。例えば、データ選択部は、ページ順の若い方から順に書字方向が変化するまでページを選択し、選択したページ数の表示装置にのみ当該ページを表示させ、それ以外の表示装置には黒画像等の代替画像を表示させる。例えば、マルチディスプレイ装置が５つの表示装置から構成され、表示候補画像データとして選択されたページ１，２，３，４，５の書字方向がそれぞれ右、右、右、左、右
であったとする。この場合、データ選択部は、３つの表示装置それぞれにページ１，２，３を表示させ、残り２つの表示装置には黒画像等の代替画像を表示させる。ページ１，２，３を表示させる３つの表示装置は、好ましくは隣接する３つの表示装置であると良い。また、この例ではページ１，２，３の書字方向が右なので、左側にある表示装置にページ順が若いページを表示させる。例えば、マルチディスプレイ装置が左から順に表示装置１，２，３，４，５の順に並べられて構成されている場合、ページ１、２，３を表示装置１，２，３に表示させるか、表示装置２，３，４に表示させるか、又は、表示装置３，４，５に表示させると良い。
【００９２】
以上の実施例では、表示装置を横に並べて画像を見開き表示するマルチディスプレイ装置を例に説明したが、本発明はこれに限られない。マルチディスプレイ装置を構成する表示装置の並べ方は横方向でも縦方向でも良いし、縦横に２次元的に並べても良い。いずれのマルチディスプレイ装置においても、上記各実施例と同様の処理により、マルチディスプレイ装置の観察者が表示を見る順序がわかりやすい表示をすることができる。
【００９３】
例えば、横２×縦２の４つの表示装置が並べられて構成されるマルチディスプレイ装置に本発明を適用した場合、まず上の行に配置されているか下の行に配置されているか判定する。上の行にある表示装置に表示させるページを下の行の表示装置に表示させるページより若い順番のページとする。これは縦方向では一般的に上から下に読み進めると考えられるからである。各行において、書字方向と、表示装置の配置が右か左かに応じて、上記各実施例で説明した方法で各表示装置に表示させるページを決定すればよい。
【００９４】
＜その他の実施形態＞
本発明は、記憶媒体に記録された、コンピュータにより実行可能な命令（プログラム）を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明は、システムや装置のコンピュータによって行われる制御方法であって、例えばコンピュータにより実行可能な命令を記憶媒体から読み出し実行することで上述した本発明の実施形態に記載した１以上の機能が行われる制御方法によっても実施することができる。コンピュータは、１以上のＣＰＵ（Central Processing Unit）、ＭＰＵ（Micro Processing Unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商標）Disc））、フラッシュメモリ、メモリカードを含んでも良い。実施例
を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００９５】
３０１：複写機、３０２：表示装置、３０３：表示装置、３０５：書字方向判定部、３０６：データ選択部
【図１】
2015206903.tif 000003
【図２】
2015206903.tif 000004
【図３】
2015206903.tif 000005
【図４】
2015206903.tif 000006
【図５】
2015206903.tif 000007
【図６】
2015206903.tif 000008
【図７】
2015206903.tif 000009
【図８】
2015206903.tif 000010
【図９】
2015206903.tif 000011
【図１０】
2015206903.tif 000012
【図１１】
2015206903.tif 000013
【図１２】
2015206903.tif 000014
【図１３】
2015206903.tif 000015
【図１４】
2015206903.tif 000016
【図１５】
2015206903.tif 000017
【図１６】
2015206903.tif 000018
【図１７】
2015206903.tif 000019
【図１８】
2015206903.tif 000020
【図１９】
2015206903.tif 000021